(57)【要約】【課題】植物の繁茂を抑制すると共に、施工面を平らにすることが可能な防草ボード、及び防草セットを提供する。【解決手段】地面に敷設されて、植物の繁茂を抑制する防草ボード２であって、合成樹脂製の硬質な樹脂板３と、当該樹脂板の表面に積層された不織布４と、からなる。また、折曲線に沿って裏面側に折り曲げて地中へ埋没させる埋没部２ｃを有し、折曲線における樹脂板３の裏面側に折曲溝６を形成した。さらに、樹脂板３は、内部に空気を内在する空気室１０が複数形成された中空板である。【選択図】図２
2015195780.tif 000002
【特許請求の範囲】
【請求項１】
地面に敷設されて、植物の繁茂を抑制する防草ボードであって、
合成樹脂製の硬質な樹脂板と、当該樹脂板の表面に積層された粗面材と、からなることを特徴とする防草ボード。
【請求項２】
折曲線に沿って裏面側に折り曲げて地中へ埋没させる埋没部を有し、
前記折曲線における樹脂板の裏面側に折曲溝を形成したことを特徴とする請求項１に記載の防草ボード。
【請求項３】
前記樹脂板は、内部に空気を内在する空気室が複数形成された中空板であることを特徴とする請求項１または請求項２に記載の防草ボード。
【請求項４】
前記樹脂板は、ポリプロピレンからなることを特徴とする請求項１から３の何れか一項に記載の防草ボード。
【請求項５】
請求項１から４の何れか一項に記載の防草ボードと、
当該防草ボードを地面に固定する合成樹脂製のアンカー部材と、を備えた防草セットであって、
前記アンカー部材は、軸の外周にねじ山を有し、先端から地面にねじ込まれるねじ本体と、該ねじ本体の後端側に設けられた頭部と、を備え、
前記防草ボードを地面に敷設した状態で、前記ねじ本体を前記防草ボードの板厚方向に挿通して地面にねじ込むことで、当該防草ボードを地面に固定可能としたことを特徴とする防草セット。
【請求項６】
前記軸の外周面には、前記ねじ山と交差しながら当該軸の長手方向に沿って延在する凸条が複数形成されていることを特徴とする請求項５に記載の防草セット。
【請求項７】
前記軸の外周面には、前記ねじ山と交差しながら当該軸の長手方向に沿って延在する溝が複数形成されていることを特徴とする請求項５に記載の防草セット。
【発明の詳細な説明】
【技術分野】
【０００１】
本発明は、地面に雑草等の植物が繁茂することを抑制する防草ボード、及び防草セットに関する。
【背景技術】
【０００２】
道路や歩道などの舗装路面の外側に舗装されていない地面がある場合、この地面で蔦等の蔓植物や雑草等の草木（植物）が繁茂すると、これらの草木が路面側に進入してくることがある。路面側に草木が張り出した場合、美観が損なわれるだけでなく、交通の障害となる可能性がある。例えば、歩道まで草木が張り出した場合、これらの草木が歩行の障害となり、転倒や怪我の要因となる可能性がある。このため、従来では、草木の育成を防止する防草シートを敷設し、釘状のアンカー部材等を用いて地面に固定していた（例えば、特許文献１参照）。
【先行技術文献】
【特許文献】
【０００３】
【特許文献１】特開２０１１−２０８４３８号公報
【発明の概要】
【発明が解決しようとする課題】
【０００４】
しかしながら、従来の防草シートは薄いシート状であるため、撓んだり、皺が寄ったりする不具合があった。また、水平な路肩から下り傾斜した法面にかけて防草シートを敷設すると、路肩と法面との境界部分の防草シートが撓んで膨らんでしまう。このため、路肩幅等の寸法が予定した寸法（規格通りの寸法）から外れる虞があった。さらに、敷設された防草シートは、地面の凹凸に沿って表面が凸凹になり易いため、外観も美しくない。
【０００５】
本発明は、このような事情に鑑みてなされたものであり、その目的は、植物の繁茂を抑制すると共に、施工面を平らにすることが可能な防草ボード、及び防草セットを提供することにある。
【０００６】
本発明は、上記した目的を達成するために提案されたもので、請求項１に記載のものは、地面に敷設されて、植物の繁茂を抑制する防草ボードであって、
合成樹脂製の硬質な樹脂板と、当該樹脂板の表面に積層された粗面材と、からなることを特徴とする防草ボードである。
【０００７】
請求項２に記載のものは、折曲線に沿って裏面側に折り曲げて地中へ埋没させる埋没部を有し、
前記折曲線における樹脂板の裏面側に折曲溝を形成したことを特徴とする請求項１に記載の防草ボードである。
【０００８】
請求項３に記載のものは、前記樹脂板は、内部に空気を内在する空気室が複数形成された中空板であることを特徴とする請求項１または請求項２に記載の防草ボードである。
【０００９】
請求項４に記載のものは、前記樹脂板は、ポリプロピレンからなることを特徴とする請求項１から３の何れか一項に記載の防草ボードである。
【００１０】
請求項５に記載のものは、請求項１から４の何れか一項に記載の防草ボードと、
当該防草ボードを地面に固定する合成樹脂製のアンカー部材と、を備えた防草セットであって、
前記アンカー部材は、軸の外周にねじ山を有し、先端から地面にねじ込まれるねじ本体と、該ねじ本体の後端側に設けられた頭部と、を備え、
前記防草ボードを地面に敷設した状態で、前記ねじ本体を前記防草ボードの板厚方向に挿通して地面にねじ込むことで、当該防草ボードを地面に固定可能としたことを特徴とする防草セットである。
【００１１】
請求項６に記載のものは、前記軸の外周面には、前記ねじ山と交差しながら当該軸の長手方向に沿って延在する凸条が複数形成されていることを特徴とする請求項５に記載の防草セットである。
【００１２】
請求項７に記載のものは、前記軸の外周面には、前記ねじ山と交差しながら当該軸の長手方向に沿って延在する溝が複数形成されていることを特徴とする請求項５に記載の防草セットである。
【発明の効果】
【００１３】
請求項１に記載の発明によれば、表面の撓みや皺の寄り等を防止できるため、地面への敷設後であっても表面が平らになる。すなわち、施工面が凹凸を抑えた平面形状になる。これにより、外観が美しくなる。また、撓みや膨らみを防止できるため、路肩や法面等の構造を予定した寸法（規格通りの寸法）に設定することができる。さらに、合成樹脂製の樹脂板からなり、軽量であるため、施工しやすく、輸送コストも抑えることができる。また、ハサミやカッター等の工具を用いて、現場の構造に合わせた形状に容易に加工することができる。その結果、作業効率が向上する。そして、表面に粗面材が積層されているので、表面の滑りを抑えることができる。これにより、敷設時に作業員が滑って転倒することを抑制できる。また、表面に雪が定着し易いので、雪崩の発生を抑制できる。
【００１４】
請求項２に記載の発明によれば、埋没部にかかる土圧によって防草ボードが強固に固定される。また、防草ボードの一部を埋没させることで、地面と当該防草ボードとの間の隙間を無くし、この隙間に風が入り込むことを防止できる。その結果、風によって防草ボードが飛ばされる不具合を抑制できる。さらに、折曲線における樹脂板の裏面側に折曲溝を形成したので、埋没部を容易に折り曲げることができる。これにより、作業効率が一層向上する。
【００１５】
請求項３に記載の発明によれば、中実樹脂板と比較してより軽量にすることができる。また、現場での加工が一層容易になる。その結果、作業効率が更に向上する。
【００１６】
請求項４に記載の発明によれば、ポリプロピレンを用いることで、強度を高めることができる。その結果、強度を保ったまま軽量化を図ることができる。また、耐熱性を有するため、気温が上昇する夏場でも使用が可能になる。
【００１７】
請求項５に記載の発明によれば、アンカー部材を締めることによって、地中にねじ山に対応するねじ谷（雌ねじ）を作りながら防草ボードを地面に固定するので、ねじ山にかかる土圧によってアンカー部材が不用意に地面から抜けることを抑制できる。これにより、防草ボードを地面に対して容易かつ強固に固定することができる。その結果、防草ボードの軽量化を図ったとしても、敷設された防草ボードが風により飛ばされることを防止できる。
【００１８】
請求項６に記載の発明によれば、凸条と凸条の間に形成される溝に地中の土等が進入することにより、ねじ山にかかる土圧を大きくすることができると共に、軸の回転に対する抵抗を大きくすることができる。これにより、アンカー部材が不用意に地面から抜けることを一層抑制でき、防草ボードの固定を一層強固にすることができる。また、凸条によって軸の強度を向上させることができるため、軸の径を小さくすることができ、ひいては、アンカー部材を小型化することができる。また、各凸条の厚さを一定に揃えることで、樹脂成型する際の凸条の厚さ方向における合成樹脂の収縮率を揃えることができ、ヒケによる歪み等を抑制できる。さらに、軸の内部に真空ボイドが発生することを抑制できる。
【００１９】
請求項７に記載の発明によれば、溝に地中の土等が進入することにより、ねじ山にかかる土圧を大きくすることができると共に、軸の回転に対する抵抗を大きくすることができる。これにより、アンカー部材が不用意に地面から抜けることを一層抑制でき、防草ボードの固定を一層強固にすることができる。また、溝と溝との間に形成される凸条によって軸の強度を向上させることができるため、軸の径を小さくすることができ、ひいては、アンカー部材を小型化することができる。また、各凸条の厚さを一定に揃えることで、樹脂成型する際の凸条の厚さ方向における合成樹脂の収縮率を揃えることができ、ヒケによる歪み等を抑制できる。さらに、軸の内部に真空ボイドが発生することを抑制できる。
【図面の簡単な説明】
【００２０】
【図１】防草ボードの説明図であり、（ａ）は平面図、（ｂ）は底面図である。
【図２】図１（ａ）におけるＡ−Ａ断面の模式図である。
【図３】樹脂板を説明する斜視図である。
【図４】アンカー部材の説明図であり、（ａ）は平面図、（ｂ）は断面図、（ｃ）は斜視図、（ｄ）は平面図、（ｅ）は底面図、（ｆ）はＢ−Ｂ断面図である。
【図５】ワッシャーの説明図であり、（ａ）は断面図、（ｂ）は斜視図である。
【図６】防草ボードの路肩及び法面への敷設を説明する模式図である。
【図７】防草ボード間の接続を説明する模式図である。
【図８】他の実施形態における防草ボードの説明図であり、（ａ）は一側端部用防草ボードの平面図、（ｂ）は中間部用防草ボードの平面図、（ｃ）は他側端部用防草ボードの平面図である。
【図９】他の実施形態における防草ボードの敷設を説明する模式図であり、（ａ）は路肩への敷設を説明する模式図、（ｂ）は法面への敷設を説明する模式図である。
【発明を実施するための形態】
【００２１】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、各実施形態に示すおよび防草ボード２およびアンカー部材２１等の寸法等は、実際の寸法、縮尺と異なる場合がある。
【００２２】
本発明の防草セット１は、遮光性を有する防草ボード２とアンカー部材２１（図４参照）とを備えている。
まず、防草ボード２について説明する。図１は、防草ボード２の説明図であり、図１（ａ）は平面図、図１（ｂ）は底面図である。図２は、図１（ａ）におけるＡ−Ａ断面の模式図である。
【００２３】
防草ボード２は、地面に敷設されて植物の繁茂を抑制する平らな板（ボード）であり、図２に示すように、樹脂板６と不織布７（本発明における粗面材に相当）とが積層されてなる。この不織布７は、防草ボード２（樹脂板６）の表側（敷設時において地面に対向する面とは反対側）に接着剤、両面テープ、熱溶着等の種々の方法で接合されている。本実施形態の防草ボード２は、例えば、長辺の長さが約２ｍ、短辺の長さが約１．５６ｍ、厚さが約６ｍｍに形成され、平面視において長方形状を呈している。なお、防草ボード２の寸法及び形状は、これに限られず、施工する地面の状態等に応じて適宜に形成し得る。
【００２４】
また、図１に示すように、防草ボード２の裏面（敷設時において地面に対向する面）には、折曲溝８が長辺方向に沿って形成されている。例えば、図２に示すように、樹脂板６の裏面に断面Ｖ字状の折曲溝８が形成されている。これにより、防草ボード２の裏面側への折り曲げ（山折り）が容易にできるようになる。すなわち、防草ボード２の一部を折り曲げる折曲線における樹脂板６の裏面側に折曲溝８を形成し、折曲線に沿って裏面側へ折り曲げ易くしている。本実施形態の防草ボード２には、短辺方向における一側（図１（ａ）における上側）の端部側及び他側（図１（ａ）における下側）の端部側にそれぞれ折曲溝８が形成されている。一側の折曲溝８は、法面１４に敷設される法面部４と水平な路肩１３に敷設される路肩部３との境界に形成され、地面への敷設時において法面部４あるいは路肩部３を折り曲げ易くするための溝である。一方、他側の折曲溝８は、法面部４と地中へ埋没される埋没部５との境界に形成され、地面への敷設時において埋没部５を折り曲げ易くするための溝である。なお、本実施形態における一側の折曲溝８から防草ボード２の一側の端までの寸法（すなわち、路肩部３の幅）は、約５００ｍｍに設定されている。また、本実施形態における他側の折曲溝８から防草ボード２の他側の端までの寸法（すなわち、埋没部５の幅）は、約６０ｍｍに設定されている。なお、これらの折曲溝８の位置は路肩幅等の地面の状態に応じて適宜に設定し得る。
【００２５】
さらに、図１及び図２に示すように、防草ボード２には、板厚方向に貫通した貫通孔９が複数形成されている。本実施形態では、路肩部３に６個、法面部４に８個、合計１４個の貫通孔９が形成されている。この貫通孔９は、後述するアンカー部材２１が挿通される孔であるため、少なくとも各部３，４の四隅に設けられることが望ましい。
【００２６】
樹脂板６は、合成樹脂からなる硬質な板である。合成樹脂としては、例えば、ポリプロピレン、ポリエチレン、アクリル樹脂、ポリエステル、ＡＢＳ樹脂等を用いることができるが、製造のし易さ、耐熱性及び強度の面からポリプロピレンを用いることが望ましい。樹脂板６は、図３に示すように、板厚が約５ｍｍの中空板であり、空気を内在する円筒形の空気室１０が内部に複数形成されている。具体的に説明すると、樹脂板６は、底面側（裏面側）が開放された円筒形状の中空突起を複数備えた中間板６ｂと、中間板６ｂの表面側に張り合わされて複数の中空突起の頂部を接続する表面板６ａと、中間板６ｂの裏面側に張り合わされて中空突起を開放側から密封する裏面板６ｃと、からなる三層構造の板である。このような構成を採用することで、中間板６ｂの中空突起と裏面板６ｃにより空気室１０を形成することができる。
【００２７】
本実施形態の樹脂板６の表面（表面板６ａの上面）には、中空突起の頂部に対応した円形の小凸部１１が複数形成されている。この小凸部１１は、樹脂板６の表面から僅かに隆起しており、中空突起に対応して規則正しく配列されている。この小凸部１１の高さは、例えば、樹脂板６（表面板６ａ）の表面に不織布７が積層された状態において、視覚的に認知することが困難なように、例えば１ｍｍ以下に形成されている。なお、不織布７が積層された状態でも、当該不織布７が柔らかいため、不織布７の上から触接することで小凸部１１を確認することができる。すなわち、この小凸部１１によって、樹脂板６の表面の滑りに対する抵抗となり得る。これにより、より一層防草ボード２の表面の摩擦を増大させることができる。
【００２８】
なお、表面板６ａ、中間板６ｂ及び裏面板６ｃの各板は、接着剤、両面テープ、熱溶着等の種々の方法で接合される。また、樹脂板６は、三層構造に限られず、一層で形成されてもよく、空気室１０の無い内部が合成樹脂で充填された中実板で形成されてもよい。しかしながら、強度を保ちつつ軽量化を図ることができるため、樹脂板６は中空板であることが望ましい。
【００２９】
不織布７は、板厚が約１ｍｍに形成された遮光性、耐候性、耐熱性のあるシートであり、例えば、ポリエステル、ナイロン、ポリプロピレン等の合成繊維のほか動物性繊維や植物性繊維等が用いられる。不織布７は、敷設時における自然との調和の観点或いは車を運転する運転手への刺激を低減する観点から、緑系統、茶色系統、灰色（グレー）系統等の色が望ましく、本実施形態ではグレーに着色されている。このように不織布７をグレーにすることで、道路のアスファルトとの色の調和を図ると共に、太陽光等の光の反射を防いで人の目への刺激を低減している。なお、不織布７の色は、これに限られず、道路や法面等における規格や設計思想に合わせて適宜に設定できる。
【００３０】
このような防草ボード２は、樹脂板６と不織布７からなり軽量であるため、地面への敷設後に風などによって飛散する可能性がある。このため、本発明の防草セット１では、防草ボード２を強固に固定するアンカー部材２１を用いている。
【００３１】
アンカー部材２１は、図４に示すように、合成樹脂によって成形された、ねじ本体２２及び頭部２３からなる雄ねじである。本実施形態のアンカー部材２１は、長手方向の寸法（全長）が約２０ｃｍ、ねじ本体２２の直径（ねじ山２６を含む径）が約２．５ｃｍに成形されている。なお、アンカー部材２１に用いられる合成樹脂は、ポリプロピレン、ポリスチレン、アクリル樹脂、ポリエステル、ＡＢＳ樹脂等の熱可塑性樹脂を好適に用いることができる。このような合成樹脂を用いてアンカー部材２１を成型する方法としては、例えば、加熱により合成樹脂を軟化させて金型に押し込み、その後、冷却により合成樹脂を固化させてから金型から取り出す射出成形加工等が好適である。
【００３２】
本実施形態のねじ本体２２は、図４に示すように、軸２５ａの先端部２５ａが尖って（先細って）おり、この先端部２５ａの途中から軸２５ａの後端（頭部２３）側に亘ってねじ山２６が形成されている。ねじ山２６は、軸２５ａの外周において螺旋状に形成されており、例えば、約１．５ｃｍピッチで軸２５ａの周りを約１０周している。なお、ねじ山２６のピッチ及び周回数は、アンカー部材２１の全長や使用される地面の状態に応じて適宜に設定することができる。また、ねじ山２６は、図４（ｃ）及び図４（ｅ）に示すように、軸２５ａからの高さが先端側から軸２５ａの途中まで徐々に高くなるように形成されている。本実施形態では、先端側から数えて１周目のねじ山２６から約５周目のねじ山２６まで徐々に高さが高くなっており、５周目以降のねじ山２６は略同じ高さに揃えられている。これにより、地面に対してねじ本体２２を先端からねじ込む際に、アンカー部材２１に加える力を少なくでき、作業性が向上する。
【００３３】
軸２５ａの後端部（首部）には、頭部２３に向けて拡径したテーパー部２７が設けられている。すなわち、テーパー部２７は、後端側（頭部２３側）から先端側に向けて縮径している。本実施形態のテーパー部２７は、図４（ｂ）に示すように、内部にテーパー穴２８が形成された筒状に構成されている。このテーパー穴２８は、後述する頭部２３の凹部２４の底面に開口し、この開口縁からテーパー部２７の先端側の近傍まで凹んだ穴である。そして、図４（ｂ）に示すように、テーパー穴２８とテーパー部２７との縮径する割合（すなわち、長軸方向の断面におけるテーパー穴２８のテーパー角度（軸２５ａの延在方向に対する傾斜角度））は、ほぼ同じに揃えられている。これにより、テーパー穴２８の内周面とテーパー部２７の外周面との間の壁の厚さをほぼ一定に揃えることができる。すなわち、テーパー部２７の偏肉を抑制することができる。その結果、樹脂成型する際における所謂ヒケ等による歪みを抑制できる。また、厚肉になると発生し易い真空ボイド（単にボイドともいう）を抑制することができる。これにより、テーパー部２７の強度を確保することができる。なお、本実施形態では、テーパー部２７の先端側の部分までねじ山２６が形成されている。すなわち、テーパー部２７の先端側の部分とねじ山２６の後端部（最上部）とが重畳している。これにより、ねじ山２６の他の部分と比べて強度が弱くなり易いねじ山２６の最上部の強度を高めることができる。
【００３４】
そして、本実施形態の軸２５ａは、図４（ａ）、図４（ｃ）、図４（ｅ）及び図４（ｆ）に示すように、先端部２５ａの途中であってねじ山２６が形成された部分より先端側の部分からテーパー部２７との境界に亘って断面十字状に形成されている。すなわち、軸２５ａの断面において四方に突出した凸条３１が形成され、この凸条３１間に断面Ｖ字状の溝３２が形成されている。そして、ねじ山２６は、この凸条３１及び溝３２の周りを周回している。すなわち、軸２５ａの外周面には、ねじ山２６と交差しながら当該軸２５ａの長手方向に沿って延在する凸条３１が４つ形成されている。換言すると、軸２５ａの外周面には、ねじ山２６と交差しながら当該軸２５ａの長手方向に沿って延在する溝３２が４つ形成されている。なお、各凸条３１の厚さは一定の厚さに揃えられている。これにより、樹脂成型する際におけるヒケ等による歪みを抑制できる。また、軸２５ａの内部に真空ボイドが発生することを抑制することができ、軸２５ａの強度を確保することができる。その結果、太い軸２５ａであっても樹脂成型によって容易に作成することが可能になる。
【００３５】
本実施形態の頭部２３は、軸２５ａの長手方向に沿って延在する六角柱状に形成され、その先端側の部分であって、ねじ本体２２（テーパー部２７）との境界部分には、頭部２３から外方に向けて延在した円盤状のフランジ部３０が形成されている。このフランジ部３０の直径は、テーパー部２７及びねじ山２６の直径よりも大きく形成されている。そして、頭部２３の内部には、当該頭部２３の頂面から先端側に向けて凹んだ凹部２４が形成されている。この凹部２４の断面形状（平面形状）は、図４（ｄ）に示すように、頭部２３の断面（平面視）において、頭部２３の外周面の断面形状（平面形状）と相似形、すなわち六角形に形成され、かつ、位相が同じ方向に揃えられている。換言すると、凹部２４の中心からみた内周面の各頂点は、頭部２３の外周面の各頂点と同じ方向に揃えられている。これにより、内周面と外周面との間の壁の厚さをほぼ一定に揃えることができる。その結果、樹脂成型する際におけるヒケ等による歪みを抑制できる。また、内部に真空ボイドが発生することを抑制することができる。なお、凹部２４の底面には、上述したテーパー穴２８が開口している。
【００３６】
次に、アンカー部材２１のねじ本体２２に取り付けられるワッシャー３５について説明する。ワッシャー３５は、図５に示すように、アンカー部材２１と同じく合成樹脂によって成形された浅い椀状の部材であり、その中心にねじ本体２２が挿通される挿通孔３６が形成されている。本実施形態の挿通孔３６は、ねじ本体２２のテーパー部２７の後端部及びねじ山２６の径よりも大きく、頭部２３のフランジ部３０の径よりも小さく形成されている。また、ワッシャー３５の外周縁には、アンカー部材２１の先端側に湾曲した湾曲部３５ａが形成されている。本実施形態の湾曲部３５ａは、先端側に向けて略直角に湾曲している。
【００３７】
このような防草セット１の使用方法について説明する。図６は、防草ボード２の路肩１３及び法面１４への敷設を説明する模式図であり、一部を欠截した斜視図である。本実施形態では、略水平な路肩１３の端部から下方に下り傾斜した法面１４に防草ボード２を敷設する。
【００３８】
まず、防草ボード２を敷設して植物の繁茂を抑制したい路肩１３及び法面１４を平坦に均す。このとき、防草ボード２の埋没部５が埋設される部分を予め掘り下げておく。このように均された路肩１３の上面に、防草ボード２の路肩部３を路肩部３と法面部４との間の折曲線（折曲溝８）が路肩１３と法面１４との境界になるように載置し、その後、折曲線（折曲溝８）に沿って法面部４を法面１４側に折り曲げて、法面１４の上面に防草ボード２の法面部４を載置する。或いは、均された法面１４の上面に、法面部４を路肩部３と法面部４との間の折曲線（折曲溝８）が路肩１３と法面１４との境界になるように載置し、その後、折曲線（折曲溝８）に沿って路肩部３を路肩側に折り曲げて、路肩１３の上面に防草ボード２の路肩部３を載置する。
【００３９】
同様に複数の防草ボード２を路肩１３及び法面１４に列状に並べて載置する。このとき、各防草ボード２の側面（側縁）同士を当接させて隙間無く配置する。そして、図７に示すように、断面凹状のフレーム１８を防草ボード２間における路肩１３側の端部に取り付ける。ここで、フレーム１８は、防草ボード２が上下にずれて隣接する防草ボード２間に段差ができないようにするための部材であり、合成樹脂等によって形成されている。このフレーム１８の凹部１８ａの中に、一方の防草ボード２の端部とこれに隣接する他方の防草ボード２の端部とがお互いに当接した状態で挿入される。この状態で、図７に示すように、ビニールテープやガムテープ等の細長いシール部材１９を隣接する防草ボード２の接続箇所に亘って貼り付けて、隣接する防草ボード２を固定する。このとき、シール部材１９のフレーム１８側の端部は、上方からフレーム１８に貼り付けるようにしてもよいし、フレーム１８の下方の防草ボード２に貼り付けて当該シール部材１９をフレーム１８で押さえるようにしてもよい。なお、フレーム１８は、防草ボード２間における埋没部５側の端部にも取り付けることができる。この場合、フレーム１８は、埋没部５と共に埋設される。
【００４０】
次に、各防草ボード２の埋没部５を、埋没部５と法面部４との間の折曲線（折曲溝８）に沿って地面側に折り曲げ、地面の予め掘り下げておいた部分に挿入する。そして、埋没部５が挿入されている地面の掘り下がった部分に土やコンクリート等を入れ、埋没部５を地中に埋設する。その後、ワッシャー３５を備えたアンカー部材２１を防草ボード２の各貫通孔９に挿通し、スパナやレンチ或いは電動インパクト等を用いて右回りに回しながら地面にねじ込んでいく。これにより、アンカー部材２１は、地中にねじ山２６に対応するねじ谷（雌ねじ）を作りながら埋没（進入）し、防草ボード２が地面に対して強固に固定される。なお、フレームが取り付けられる防草ボードの端部に貫通孔を設けると共に、フレームの当該貫通孔に対応する部分にフレーム側貫通孔を形成することで、防草ボードにフレームを取り付けた状態で、当該フレームのフレーム側貫通孔を介してアンカー部材２１を地面に固定するようにしてもよい。このようにフレームを含めて固定すると、フレームが外れることをより確実に防止できる。
【００４１】
前述したようにして防草ボード２を敷設すると、光を遮ることができるので、路肩１３及び法面１４における植物の繁茂を防止することができる。そして、本発明の防草ボード２によれば、硬質な樹脂板を基材としているため、表面の撓みや皺の寄り等を防止でき、地面への敷設後であっても表面が平らになる。すなわち、施工面が凹凸を抑えた平面形状になる。これにより、外観が美しくなる。また、撓みや膨らみを防止できるため、路肩１３や法面１４等の構造を予定した寸法（規格通りの寸法）に設定することができる。特に、路肩１３と法面１４との境界において直線状の稜線が形成されるため、外観がより美しくなる。さらに、合成樹脂製の樹脂板６からなり、軽量であるため、施工しやすく、輸送コストも抑えることができる。また、ハサミ、カッター、糸鋸等の工具を用いて、現場の構造に合わせた形状（例えば、電柱の外縁に沿うように円状に切欠いた形状等）に容易に加工することができる。その結果、作業効率が向上する。加えて、表面に不織布７が積層されているので、防草ボード２の表面の摩擦を増大させることができ、滑りを抑えることができる。これにより、敷設時に作業員が滑って転倒することを抑制できる。また、不織布７により光等を遮ることができ、樹脂板６、ひいては防草ボード２の耐候性を向上させることができる。
【００４２】
また、地中へ埋没させる埋没部５を備えたので、埋没部５にかかる土圧によって防草ボード２が強固に固定される。また、防草ボード２の一部を埋没させることで、地面と当該防草ボード２との間の隙間を無くし、この隙間に風が入り込むことを防止できる。その結果、風によって防草ボード２が飛ばされる不具合を抑制できる。さらに、折曲線における樹脂板６の裏面側に折曲溝８を形成したので、埋没部５を容易に折り曲げることができる。これにより、作業効率が一層向上する。また、樹脂板６を中空板で構成したので、防草ボード２を中実樹脂板と比較してより軽量にすることができる。また、ハサミやカッター等の工具を用いて切断や折曲溝８の形成が容易になるため、現場での加工が一層容易になる。その結果、作業効率が更に向上する。加えて、樹脂板６をポリプロピレンで形成したので、防草ボード２の強度を高めることができる。その結果、強度を保ったまま軽量化を図ることができる。また、耐熱性を有するため、気温が上昇する夏場でも使用が可能になる。
【００４３】
さらに、本発明のアンカー部材２１を締めることによって、地中にねじ山に対応するねじ谷（雌ねじ）を作りながら防草ボード２を地面に固定するので、ねじ山にかかる土圧によってアンカー部材２１が不用意に地面から抜けることを抑制できる。これにより、防草ボード２を地面に対して容易かつ強固に固定することができる。その結果、防草ボード２の軽量化を図ったとしても、敷設された防草ボード２が風により飛ばされることを防止できる。また、溝に地中の土等が進入することにより、ねじ山にかかる土圧を大きくすることができると共に、軸の回転に対する抵抗を大きくすることができる。これにより、アンカー部材２１が不用意に地面から抜けることを一層抑制でき、防草ボード２の固定を一層強固にすることができる。また、凸条によって軸の強度を向上させることができるため、軸の径を小さくすることができ、ひいては、アンカー部材２１を小型化することができる。さらに、各凸条の厚さを一定に揃えることで、樹脂成型する際の凸条の厚さ方向における合成樹脂の収縮率を揃えることができ、ヒケによる歪み等を抑制できる。また、軸の内部に真空ボイドが発生することを抑制できる。
【００４４】
ところで、上記した実施形態では、折曲溝８を法面部４と路肩部３との境界及び法面部４と埋没部５との境界に形成したが、これには限られない。少なくとも、法面部４と埋没部５との境界に折曲溝８が形成されていればよく、その他の折曲溝８は路肩や法面の構造によって適宜に設定される。例えば、法面の傾斜の角度が途中から変化するような場合、角度が変化する境界に折曲溝を設けて、傾斜に沿って防草ボードの法面部を更に折り曲げるようにしてもよい。また、このような折曲溝は、地面の状態に応じて、カッター等の工具を用いて現場で形成することもできる。
【００４５】
また、埋没部を設けず、平坦な面に敷設する場合、折曲溝を形成しなくてもよい。例えば、図８に示すその他の実施形態における防草ボード２′では、一連の平坦面に並設（列設）される防草ボード２′のうち両側端部に位置する防草ボード２ａ′，２ｃ′にのみ埋没部５′を折り曲げるための折曲溝８′を設け、中間部に位置する防草ボード２ｂ′には埋没部５′及び折曲溝８′を設けていない。
【００４６】
具体的に説明すると、図８に示す防草ボード２′は、平坦面に列設するための防草ボードである。図８（ａ）に示す防草ボード２ａ′は、列設される防草ボード２′のうち一側の端部に配置される一側端部用防草ボードである。図８（ｂ）に示す防草ボード２ｂ′は、一側端部用防草ボード２ａ′と他側端部用防草ボード２ｃ′との間に配列される中間部用防草ボードである。図８（ｃ）に示す防草ボード２ｃ′は、列設される防草ボード２′のうち他側の端部に配置される他側端部用防草ボードである。各防草ボード２′は、例えば、長辺の長さが約１．６ｍ、短辺の長さが約１ｍの長方形状に形成されている。なお、一側端部用防草ボード２ａ′および他側端部用防草ボード２ｃ′は、約６０ｃｍの幅の埋没部５′が設けられているため、この分だけ短辺の長さが中間部用防草ボード２ｂ′よりも長くなっている。また、本実施形態では、四隅に４つ貫通孔９′が形成され、長辺方向の中央部に短辺方向に沿って３つ貫通孔９′が形成されている。
【００４７】
そして、一側端部用防草ボード２ａ′の一側（図８（ａ）における上側）の端部及び他側端部用防草ボード２ｃ′の他側（図８（ｃ）における下側）の端部に、埋没部５′を折り曲げ易くするための折曲溝８′が長辺方向に沿って形成されている。すなわち、一側端部用防草ボード２ａ′の一側の端部及び他側端部用防草ボード２ｃ′の他側の端部に、長辺方向に沿った埋没部５′が形成されている。一方、中間部用防草ボード２ｂ′には埋没部及び折曲溝が形成されていない。また、各防草ボード２ａ′，２ｂ′，２ｃ′のその他の箇所には、折曲溝が形成されていない。なお、その他の構成は上記した実施形態と同じであるため、説明を省略する。
【００４８】
このような防草ボード２′は、平坦な地面に沿って敷設される。例えば、図９（ａ）に示す施工例では、平坦な路肩１３′上に防草ボード２′が列設されている。一側端部用防草ボード２ａ′は、列設方向の一側の端部に、同側の端に埋没部５′が位置するように敷設される（図示せず）。また、他側端部用防草ボード２ｃ′は、列設方向の他側の端部に、同側の端に埋没部５′が位置するように敷設される。そして、両埋没部５′は、折曲線に沿って地面側に折り曲げられ、地中に埋設されている。中間部用防草ボード２ｂ′は、一側端部用防草ボード２ａ′と他側端部用防草ボード２ｃ′との間に、敷設する路肩１３′の長さに合わせて１枚或いは複数枚配置される。なお、路肩１３′の長さが短い場合、中間部用防草ボード２ｂ′を配置せずに、一側端部用防草ボード２ａ′と他側端部用防草ボード２ｃ′とを隣接させて配置することもできる。また、防草ボード２′をハサミやカッター等の工具を用いて切断することで、路肩１３′の長さに合うように調整することができる。そして、上記した実施形態と同様に、各防草ボード２′の貫通孔９′にはアンカー部材２１が挿通されて、地面に固定されている。さらに、各防草ボード２′間は、上記した実施形態と同様に、フレーム１８及びシール部材１９を用いて接続されている。
【００４９】
また、図９（ｂ）に示す施工例では、路肩１３″から上り傾斜した平坦な法面１４″上に防草ボード２′が列設されている。本施工例でも、図９（ａ）に示す施工例と同様に、一側端部用防草ボード２ａ′が列設方向の一側の端部に、他側端部用防草ボード２ｃ′が列設方向の他側の端部にそれぞれ配置され、両埋没部５′が地中に埋設されている（図示せず）。また、中間部用防草ボード２ｂ′が一側端部用防草ボード２ａ′と他側端部用防草ボード２ｃ′との間に、敷設する法面１４″の長さに合わせて１枚或いは複数枚配置されている。そして、本実施形態では、図９（ｂ）に示すように、法面１４″に敷設された各防草ボード２′の路肩１３″側の端部が、折り曲げられずに法面１４″の傾斜に沿って延在し、路肩１３″側に埋没されている。これにより、防草ボード２′をより強固に法面１４″に固定することができる。そして、各防草ボード２′の貫通孔９′にはアンカー部材２１が挿通されて、地面に固定されている。また、各防草ボード２′間は、フレーム１８及びシール部材１９を用いて接続されている。
【００５０】
なお、本施工例では、各防草ボード２′の路肩１３″側の端部が路肩１３″側に埋没されるので、埋没部５′を有する一側端部用防草ボード２ａ′及び他側端部用防草ボード２ｃ′を用いずに、全て中間部用防草ボード２ｂ′とすることもできる。また、敷設される法面１４″の長さが短い場合、上記の施工例と同様に中間部用防草ボード２ｂ′を配置せずに、一側端部用防草ボード２ａ′と他側端部用防草ボード２ｃ′とを隣接させて配置することもできる。さらに、防草ボード２′をハサミやカッター等の工具を用いて切断することで、法面１４″の長さに合うように調整することができる。
【００５１】
本実施形態においても防草ボード２′を敷設することで、路肩１３′及び法面１４″における植物の繁茂を防止することができる。そして、防草ボード２′を敷設した施工面を凹凸が抑えられた平面形状にすることができる。これにより、外観が美しくなる。また、表面に不織布７′が積層されているので、防草ボード２′の表面の摩擦を増大させることができ、滑りを抑えることができる。特に、図９（ｂ）に示す法面１４″への施工時において法面１４″に敷設された防草ボード２′の上で作業する場合でも、当該防草ボード２′の表面が滑り難くいため、作業が容易になる。その結果、作業効率が向上する。
【００５２】
ところで、防草ボードの表面に不織布がなく、摩擦が少ない防草ボードを図９（ｂ）に示す法面１４″に施工した場合、当該防草ボードの上に雪が定着しないため、この防草ボードよりも上方の地面（法面１４″）に雪が積もると、雪崩が起きる虞がある。すなわち、法面１４″の上方の方が、下方よりも積もった雪の量が多くなるため、上方に積もった雪が自重によって崩れてくる虞がある。しかしながら、本発明の防草ボード２′は、表面に不織布７′が積層されているので、雪が定着し易く、雪崩の発生を抑えることができる。
【００５３】
なお、上記した各実施形態では、樹脂板６に積層される粗面材として不織布７を使用したが、これには限られない。例えば、織布、フェルト、毛布等の起毛シート等を樹脂板に積層してもよい。また、上記した各実施形態では、防草ボード２にアンカー部材２１を挿通させる貫通孔９を設けたがこれには限られない。例えば、貫通孔を設けず、アンカー部材が挿通される位置にマーク等を設けておき、施工現場において電動インパクト等を用いて、当該マークの位置に防草ボードを貫通しながらアンカー部材２１を打ち込んでもよい。
【００５４】
また、上記した各実施形態におけるアンカー部材２１のねじ本体２２の長さ、ねじ山の高さ、ねじ山の周回数、頭部の大きさ及びフランジ部の大きさ、並びに、ワッシャーの大きさ、挿通孔の大きさ及び貫通孔の大きさ等の各所の寸法は、適宜に決定することができる。
そして、本発明は上記した実施形態に限らず、特許請求の範囲内での全ての変更が含まれる。
【符号の説明】
【００５５】
１    防草セット
２    防草ボード
３    路肩部
４    法面部
５    埋没部
６    樹脂板
６ａ    表面板
６ｂ    中間板
６ｃ    裏面板
７    不織布
８    折曲溝
９    貫通孔
１０    空気室
１１    小凸部
１３    路肩
１４    法面
１８    フレーム
１９    シール部材
２１    アンカー部材
２２    ねじ本体
２３    頭部
２４    凹部
２５    軸
２５ａ    先端部
２６    ねじ山
２７    テーパー部
２８    テーパー穴
３０    フランジ部
３１    凸条
３２    溝
３５    ワッシャー
３５ａ    湾曲部
３６    挿通孔
【図１】
2015195780.tif 000003
【図２】
2015195780.tif 000004
【図３】
2015195780.tif 000005
【図４】
2015195780.tif 000006
【図５】
2015195780.tif 000007
【図６】
2015195780.tif 000008
【図７】
2015195780.tif 000009
【図８】
2015195780.tif 000010
【図９】
2015195780.tif 000011